(57)【要約】【課題】  配線盤内における光コードの取り回しを行い易くすることができるスプリッタモジュールを提供する。【解決手段】  スプリッタモジュール１は、光信号を分岐させる光スプリッタ２４が収容された下部筐体２と、この下部筐体２上に配置された上部筐体３とを備えている。下部筐体２の前端側部分には、４連の出力側アダプタソケット１１を保持するアダプタソケットホルダ１２が上下方向に回動可能に取り付けられている。上部筐体３の前端側部分には、４連の出力側アダプタソケット１７を保持するアダプタソケットホルダ１８が上下方向に回動可能に取り付けられている。下部筐体２の前側壁部５には、入力側アダプタソケット１９を保持する可動保持部材２０が前後方向に回動可能に取り付けられている。これにより、入力側アダプタソケット１９のプラグ受け口の向きを適宜変えることができる。【選択図】  図５
2010122527.tif 000002
【特許請求の範囲】
【請求項１】
入力側光ファイバ心線から入射した光信号を分岐させて複数の出力側光ファイバ心線に出射する光スプリッタを有するスプリッタモジュールにおいて、
前記光スプリッタを収容するモジュール筐体と、
前記モジュール筐体に取り付けられ、前記複数の出力側光ファイバ心線と接続される出力側光ソケットを保持するソケットホルダと、
前記モジュール筐体に対して回動可能に取り付けられ、前記入力側光ファイバ心線と接続される入力側光ソケットを保持する可動保持部材とを備えることを特徴とするスプリッタモジュール。
【請求項２】
前記モジュール筐体は、下部筐体と、前記下部筐体の上に配置された上部筐体とを有し、
前記下部筐体及び前記上部筐体には、前記出力側光ソケットを保持する前記ソケットホルダがそれぞれ取り付けられ、
前記光スプリッタは、前記下部筐体及び前記上部筐体の何れか一方に収容され、
前記可動保持部材は、前記下部筐体及び前記上部筐体の前記何れか一方に対して水平方向に回動可能に取り付けられていることを特徴とする請求項１記載のスプリッタモジュール。
【請求項３】
前記ソケットホルダは、前記下部筐体及び前記上部筐体の同じ一端側にそれぞれ取り付けられ、
前記下部筐体における前記ソケットホルダの取り付け側の端位置は、前記上部筐体における前記ソケットホルダの取り付け側の端位置よりも突出していることを特徴とする請求項２記載のスプリッタモジュール。
【請求項４】
前記ソケットホルダは、前記下部筐体及び前記上部筐体に対してそれぞれ上下方向に回動可能に取り付けられていることを特徴とする請求項２または３記載のスプリッタモジュール。
【請求項５】
前記上部筐体は、前記下部筐体に対して水平方向に回動可能であることを特徴とする請求項２〜４の何れか一項記載のスプリッタモジュール。
【発明の詳細な説明】
【技術分野】
【０００１】
本発明は、光信号を分岐させる光スプリッタを有するスプリッタモジュールに関するものである。
【背景技術】
【０００２】
スプリッタモジュールは、例えば集合住宅等に設置された配線盤内に収容され、架空から引き落とされた光ケーブルにより送られてきた光信号を分岐させて各家庭に伝送するものである。このようなスプリッタモジュールとしては、例えば特許文献１に記載されているように、光ケーブルを分岐して受ける心線受部と、この心線受部で分岐された複数の光ファイバ心線を各光ソケットに接続するコネクタ収納部とを備えた箱形状のスプリッタモジュールが知られている。
【特許文献１】特開２００７―１２１３９８号公報
【発明の開示】
【発明が解決しようとする課題】
【０００３】
上記従来技術のようなスプリッタモジュールは、既築の建物内の配線盤内に備え付けられることが多い。この場合、配線盤内には既に他の機器やケーブル等が収容されているため、スプリッタモジュールに接続される光コードの取り回し（配線）に手間がかかることがある。
【０００４】
本発明の目的は、配線盤内における光コードの取り回しを行い易くすることができるスプリッタモジュールを提供することである。
【課題を解決するための手段】
【０００５】
本発明は、入力側光ファイバ心線から入射した光信号を分岐させて複数の出力側光ファイバ心線に出射する光スプリッタを有するスプリッタモジュールにおいて、光スプリッタを収容するモジュール筐体と、モジュール筐体に取り付けられ、複数の出力側光ファイバ心線と接続される出力側光ソケットを保持するソケットホルダと、モジュール筐体に対して回動可能に取り付けられ、入力側光ファイバ心線と接続される入力側光ソケットを保持する可動保持部材とを備えることを特徴とするものである。
【０００６】
このような本発明のスプリッタモジュールにおいては、入力側光ソケットを保持する可動保持部材を、モジュール筐体に対して回動可能に取り付けることにより、配線盤にスプリッタモジュールを備え付ける際に、入力側光コードがコネクタ接続される入力側光ソケットのプラグ受け口の向きを適宜変更することができる。例えば、通常状態では入力側光ソケットのプラグ受け口が出力側光ソケットのプラグ受け口の反対側を向いている場合において、入力側光コードが出力側光コードと同じ方向から導入されるときには、可動保持部材をモジュール筐体に対して回動させることで、入力側光ソケットのプラグ受け口を出力側光ソケットのプラグ受け口と同じ側に向けるようにする。そして、その状態で、各光ソケットが光コードの導入側に位置するようにスプリッタモジュールを配線盤内に取り付ける。この場合には、各光ソケットのプラグ受け口が光コードの導入側を向くことになるため、光コードを不要に曲げる必要が無い。これにより、配線盤内における光コードの取り回しが行い易くなる。
【０００７】
好ましくは、モジュール筐体は、下部筐体と、下部筐体の上に配置された上部筐体とを有し、下部筐体及び上部筐体には、出力側光ソケットを保持するソケットホルダがそれぞれ取り付けられ、光スプリッタは、下部筐体及び上部筐体の何れか一方に収容され、可動保持部材は、下部筐体及び上部筐体の何れか一方に対して水平方向に回動可能に取り付けられている。この場合には、光スプリッタの分岐数が多くても、スプリッタモジュールの幅寸法を大きくしなくて済み、スプリッタモジュールの小型化を確保することができる。また、入力側光ソケットを保持した可動保持部材を、光スプリッタが収容された筐体に対して回動可能に取り付けることにより、入力側光ファイバ心線を短くすることができる。
【０００８】
このとき、ソケットホルダは、下部筐体及び上部筐体の同じ一端側にそれぞれ取り付けられ、下部筐体におけるソケットホルダの取り付け側の端位置は、上部筐体におけるソケットホルダの取り付け側の端位置よりも突出していることが好ましい。ソケットホルダを下部筐体及び上部筐体の同じ一端側にそれぞれ取り付けることにより、出力側光ソケットに接続される複数の出力側光コードが全て同じ方向から導入される場合に、出力側光コードの取り回しが行い易くなる。また、下部筐体におけるソケットホルダの取り付け側の端位置を上部筐体におけるソケットホルダの取り付け側の端位置よりも突出させることにより、その突出長によっては下部筐体に取り付けられたソケットホルダが上部筐体に覆われることが無く、当該ソケットホルダを下部筐体に対して上下方向に回動させることが可能となる。
【０００９】
また、ソケットホルダは、下部筐体及び上部筐体に対してそれぞれ上下方向に回動可能に取り付けられていることが好ましい。このような構成では、例えばソケットホルダが下側となるようにスプリッタモジュールを配線盤内に取り付けたときに、ソケットホルダを回動させて手前側（前面側）に向けることが可能となる。この場合には、光コードの端部に装着された光コネクタプラグを光ソケットに対して挿抜しやすくなる。
【００１０】
さらに、上部筐体は、下部筐体に対して水平方向に回動可能であることが好ましい。このような構成では、例えば複数本の出力側光コードが半分ずつ分かれた状態で配線盤内に導入される場合でも、その導入方向に応じて上部筐体を下部筐体に対して水平方向に回動させることで、各出力側光コードの取り回しが一層行い易くなる。
【発明の効果】
【００１１】
本発明によれば、配線盤内においてスプリッタモジュールに接続される光コードの取り回しが行い易くなるので、作業性を向上させることができる。
【発明を実施するための最良の形態】
【００１２】
以下、本発明に係るスプリッタモジュールの好適な実施形態について図面を参照して詳細に説明する。
【００１３】
図１及び図２は、本発明に係るスプリッタモジュールの一実施形態の外観を示す斜視図である。各図において、本実施形態のスプリッタモジュール１は、下部筐体２と、この下部筐体２上に配置された上部筐体３とを備えている。
【００１４】
下部筐体２は、図３に示すように、一端側（前端側）が開放された略箱状を有している。下部筐体２は、側壁部４と、この側壁部４と対向するように設けられた前側壁部５及び後側壁部６とを有している。前側壁部５は、後側壁部６よりも外側の位置に設けられている。このため、下部筐体２の前側部分の幅寸法は、下部筐体２の後側部分の幅寸法よりも大きくなっている。前側壁部５の長さは、後側壁部６の長さとほぼ等しくなっている。前側壁部５の後端には、円筒状の支軸部７ａ，７ｂが上下に設けられている。
【００１５】
下部筐体２における側壁部４の近傍には、後述する光スプリッタ２４（図８参照）を配置するためのスプリッタ収容部８が形成されている。下部筐体２における側壁部４と後側壁部６との間には、上部筐体３を下部筐体２に対して水平方向に回動可能に連結するための筒状部９が突設されている。側壁部４及び前側壁部５の内壁面には、下部筐体２の幅方向に延びる棒状軸部１０が結合されている。
【００１６】
下部筐体２の前端側部分には、４連の出力側アダプタソケット１１を保持するアダプタソケットホルダ１２が取り付けられている。出力側アダプタソケット１１は、光ファイバ心線の端部に装着された光コネクタプラグ（図示せず）と嵌合するソケット部１１ａを両側に４つずつ有し、光ファイバ心線同士を接続するコネクタ部品である。出力側アダプタソケット１１としては、例えばＳＣ型アダプタソケットが用いられる。
【００１７】
アダプタソケットホルダ１２は、下部筐体２に上下方向に回動可能に取り付けられている。具体的には、アダプタソケットホルダ１２の後部に設けられた支持部（図示せず）が下部筐体２の棒状軸部１０と係合することで、アダプタソケットホルダ１２が棒状軸部１０を中心軸として下部筐体２に対して上下方向に回動可能となる。
【００１８】
上部筐体３は、図３に示すように、一端側（前端側）が開放された略箱状を有している。上部筐体３の長手方向の寸法は、下部筐体２の長手方向の寸法よりも短くなっている。上部筐体３は側壁部１３，１４を有している。また、上部筐体３は、前側部分を除いた領域を覆う蓋部３ａを有している。上部筐体３の幅寸法は、下部筐体２の前側部分の幅寸法と等しくなっている。
【００１９】
上部筐体３の底面には、下部筐体２の筒状部９に嵌合する突起（図示せず）が設けられている。上部筐体３の前端側部分における側壁部１３，１４の内壁面には、上部筐体３の幅方向に延びる棒状軸部１６が結合されている。
【００２０】
上部筐体３の前端側部分には、４連の出力側アダプタソケット１７を保持するアダプタソケットホルダ１８が取り付けられている。出力側アダプタソケット１７は、上記の出力側アダプタソケット１１と全く同じものであり、ソケット部１７ａを両側に４つずつ有している。アダプタソケットホルダ１８は、上記のアダプタソケットホルダ１２と全く同じものである。
【００２１】
アダプタソケットホルダ１８は、上部筐体３に上下方向に回動可能に取り付けられている。アダプタソケットホルダ１８を回動させる構造は、上述したアダプタソケットホルダ１２を回動させる構造と同様である。つまり、アダプタソケットホルダ１８の後部に設けられた支持部（図示せず）が上部筐体３の棒状軸部１６に係合することで、アダプタソケットホルダ１８が棒状軸部１６を中心軸として上部筐体３に対して上下方向に回動可能となる。
【００２２】
これにより、図４に示すように、アダプタソケットホルダ１８に保持された出力側アダプタソケット１７の各ソケット部１７ａのプラグ受け口を下部筐体３に対して上方に向けることが可能となる。
【００２３】
上部筐体３の底面に設けられた突起（図示せず）が下部筐体２に設けられた筒状部９内に挿入されることで、上部筐体３が下部筐体２上に配置されることとなる。
【００２４】
また、上述したように上部筐体３の長さ寸法は下部筐体２の長さ寸法よりも短いため、下部筐体２の前端位置が上部筐体３の前端位置よりも突出した状態となる。その上部筐体３に対する下部筐体２の突出長さは、下部筐体２に取り付けられたアダプタソケットホルダ１２が上部筐体３に覆われない程度の長さとなっている。
【００２５】
従って、アダプタソケットホルダ１２が下部筐体２に対して上下方向に回動可能であることから、図４に示すように、アダプタソケットホルダ１２に保持された出力側アダプタソケット１１の各ソケット部１１ａのプラグ受け口を下部筐体２に対して上方に向けることが可能となる。
【００２６】
下部筐体２の前側壁部５には、入力側アダプタソケット１９を保持する可動保持部材２０が回動可能に取り付けられている。入力側アダプタソケット１９は、光ファイバ心線の端部に装着された光コネクタプラグと嵌合するソケット部１９ａを両側に１つずつ有している。ここでは、入力側アダプタソケット１９としてＳＣ型アダプタソケットが用いられる。
【００２７】
可動保持部材２０は、図３に示すように、側壁部２１を有する断面Ｌ字状の部材である。側壁部２１の一端部（基端部）には、円筒状の支軸部２２が設けられている。可動保持部材２０の先端側（支軸部２２の反対側）部分には、側壁部２１と協働して入力側アダプタソケット１９を保持するための保持壁部２３が側壁部２１と対向するように設けられている。
【００２８】
可動保持部材２０の長さ寸法は、下部筐体２の後側壁部６の長さ寸法とほぼ等しくなっている。なお、上述したように下部筐体２の後側壁部６が前側壁部５よりも内側の位置に設けられているのは、下部筐体２の後側部分に可動保持部材２０を収容する領域を形成するためである。
【００２９】
可動保持部材２０は、下部筐体２の支軸部７ａ，７ｂ間に支軸部２２が配置された状態で、これらの支軸部７ａ，７ｂ，２２内にヒンジピン（図示せず）を貫通させることで、図５に示すように、下部筐体２に対して水平方向に回動可能となっている。つまり、可動保持部材２０は、図１及び図２に示すように上部筐体３に覆われる筐体収容位置から、図５（Ｂ）に示すように側壁部２１が下部筐体２の前側壁部５に当接する位置まで、前後方向に１８０度回動可能である。このとき、例えば上記ヒンジピンをトルクヒンジ構造とすること等により、可動保持部材２０は下部筐体２に対して任意の角度で保持（静止）可能な構成となっている。
【００３０】
上部筐体３は、図６に示すように、下部筐体２の筒状部９を中心として下部筐体２に対して水平方向に３６０度回動可能となる。なお、上部筐体３は、下部筐体２に対して任意の角度で保持可能な構成となっている。
【００３１】
下部筐体２のスプリッタ収容部８には、図７に示すように、光信号を複数に分岐（ここでは８分岐）させる光スプリッタ２４が収容・固定されている。光スプリッタ２４の一端には、入力側光ファイバ心線２５が接続され、光スプリッタ２４の他端には、複数本（ここでは８本）の出力側光ファイバ心線２６が接続されている。これにより、入力側光ファイバ心線２５から入射した光信号は、光スプリッタ２４により分岐されて各出力側光ファイバ心線２６に出射されるようになる。
【００３２】
入力側光ファイバ心線２５の先端部には光コネクタプラグ２７が装着され、この光コネクタプラグ２７は、入力側アダプタソケット１９の一側（筐体内側）のソケット部１９ａに嵌合されている。各出力側光ファイバ心線２６の先端部には光コネクタプラグ２８が装着され、これらの光コネクタプラグ２８は、出力側アダプタソケット１１，１７の一側（筐体内側）の各ソケット部１１ａ，１７ａにそれぞれ嵌合されている。
【００３３】
このとき、入力側アダプタソケット１９を保持する可動保持部材２０は、光スプリッタ２４が収容された下部筐体２に回動可能に取り付けられている。これにより、入力側光ファイバ心線２５の長さを短くすることができる。
【００３４】
以上のように構成されたスプリッタモジュール１は、集合住宅等の建物内の壁に設置された主配線盤や分電盤等（以下、まとめて配線盤）に備え付けられる。具体的には、例えば配線盤内の所定のスペースにスプリッタモジュール１を取り付け、入力側光コードを入力側アダプタソケット１９の他側（筐体外側）のソケット部１９ａにコネクタ接続し、複数本の出力側光コードを出力側アダプタソケット１１，１７の他側（筐体外側）の各ソケット部１１ａ，１７ａにそれぞれコネクタ接続する。
【００３５】
このとき、配線盤内に既に他の機器やケーブル等が数多く収容されている場合には、スプリッタモジュール１を取り付けるための収容スペースの確保が難しくなり、これに伴ってスプリッタモジュール１の取り扱いや光コードの取り回し（配線）が困難になることがある。
【００３６】
しかし、本実施形態のスプリッタモジュール１は、下部筐体２及び上部筐体３を有する上下２段構造となっているので、光スプリッタ２４の分岐数が多いにも拘わらずスプリッタモジュール１の幅寸法が小さく、スプリッタモジュール１の小型化が図られている。このため、例えば配線盤内の収容スペースが限られていても、スプリッタモジュール１を取り付けることが可能となる。
【００３７】
また、下部筐体２には、入力側アダプタソケット１９を保持する可動保持部材２０が前後１８０度に回動可能に取り付けられているので、入力側アダプタソケット１９のプラグ受け口の向きを必要に応じて適宜調整することができる。
【００３８】
例えば、入力側光コード及び出力側光コードが互いに反対側から配線盤内に導入される場合には、図１及び図２に示すように可動保持部材２０を筐体収容位置に配置することで、入力側光コードとコネクタ接続される入力側アダプタソケット１９のプラグ受け口を、出力側光コードとコネクタ接続される出力側アダプタソケット１１，１７のプラグ受け口の反対側に向けるようにする。
【００３９】
また、入力側光コード及び出力側光コードが同じ側から配線盤内に導入される場合には、図５（Ｂ）に示すように可動保持部材２０を筐体収容位置から１８０度回動させることで、入力側光コードとコネクタ接続される入力側アダプタソケット１９のプラグ受け口を、出力側光コードとコネクタ接続される出力側アダプタソケット１１，１７のプラグ受け口と同じ側に向けるようにする。
【００４０】
例えば出力側アダプタソケット１１，１７が下側となるようにスプリッタモジュール１を配線盤に取り付ける場合には、入力側アダプタソケット１９が上側に位置していると、配線盤内に導入された入力側光コードを入力側アダプタソケット１９にコネクタ接続するためには、入力側光コードをＵ字状に曲げる必要がある。このとき、スプリッタモジュール１が配線盤の左側隅部に取り付けられている場合には、下側から導入された入力側光コードを入力側アダプタソケット１９にコネクタ接続できないことがある。また、たとえ入力側光コードを入力側アダプタソケット１９にコネクタ接続できたとしても、入力側光コードを無理に曲げることになるので、入力側光コードを損傷させてしまう。従って、そのような場合には、入力側アダプタソケット１９のプラグ受け口を出力側アダプタソケット１１，１７のプラグ受け口と同じ側に向けることにより、配線盤内に導入された入力側光コードを無理に曲げなくても、入力側光コードを入力側アダプタソケット１１にコネクタ接続することができる。
【００４１】
また、例えば出力側光コードが下側から配線盤内に導入され、入力側光コードが横側（右側）から配線盤内に導入される場合に、配線盤内に十分な収容スペースがあるときは、図５（Ａ）に示すように可動保持部材２０を筐体収容位置から９０度回動させることで、入力側光コードとコネクタ接続される入力側アダプタソケット１９のプラグ受け口を、出力側光コードとコネクタ接続される出力側アダプタソケット１１，１７のプラグ受け口に対して垂直に向けるようにする。
【００４２】
このように配線盤内の機器やケーブル等の収容状況に応じて入力側アダプタソケット１９のプラグ受け口の向きを自由に変えることができるので、入力側光コードの不要な引き回しを行うことなく、入力側光コードを入力側アダプタソケット１９に容易にコネクタ接続することができる。これにより、配線盤内における入力側光コード及び出力側光コードの取り回し（配線）が行いやすくなるため、スプリッタモジュール１の備え付けの作業性を向上させることができる。
【００４３】
また、出力側アダプタソケット１１，１７が下側となるようにスプリッタモジュール１を配線盤に取り付ける場合には、図４に示すようにアダプタソケットホルダ１２，１８を下部筐体２及び上部筐体３に対して上側に回動させることで、出力側アダプタソケット１１，１７のプラグ受け口を手前側に向けるようにする。これにより、出力側光コードの先端部に装着された光コネクタプラグを出力側アダプタソケット１１，１７に対して挿入・抜去しやすくなる。従って、スプリッタモジュール１の備え付けの作業性を一層向上させることができる。
【００４４】
さらに、例えば複数本の出力側光コードが１本ずつ並んで配線盤内に導入されたり、所定本ずつ２つに分かれて配線盤内に導入される場合には、図６に示すように上部筐体３を下部筐体２に対して左右に回動させることにより、出力側光コードの不要な取り回しを行わずに、出力側光コードの先端部に装着された光コネクタプラグを出力側アダプタソケット１１，１７に対して挿入することができる。また、例えば各出力側光コードがまとまって配線されていると、これらの出力側光コードに負荷（剛性）がかかるため、上部筐体３を下部筐体２に対して左右に回動させることで、各出力側光コードにかかる負荷を分散（軽減）させることもできる。
【００４５】
なお、本発明は、上記実施形態に限定されるものではない。例えば上記実施形態では、入力側アダプタソケット１９を保持する可動保持部材２０が下部筐体２に回動可能に取り付けられているが、可動保持部材２０が上部筐体３に回動可能に取り付けられた構造としても良い。この場合には、入力側アダプタソケット１９と光スプリッタ２４とを接続する入力側光ファイバ心線２５を短くするために、光スプリッタ２４を上部筐体３内に収容するのが望ましい。
【００４６】
また、上記実施形態では、可動保持部材２０は、下部筐体２の上下方向（厚さ方向）に平行な支軸部２２を中心にして下部筐体２に対して水平方向に回動可能となっているが、図８及び図９に示すように、下部筐体２の幅方向に平行な支軸部３０を中心にして回動可能となっていても良い。
【００４７】
さらに、上記実施形態のスプリッタモジュール１は、上部筐体２及び下部筐体３を有する上下２段構造となっているが、光スプリッタ２４の分岐数が少ない場合（上記実施形態では４分岐の場合）には、特にスプリッタモジュールの筐体（モジュール筐体）を２段構造とせずに１つとしても良い。
【図面の簡単な説明】
【００４８】
【図１】本発明に係るスプリッタモジュールの一実施形態の外観を示す斜視図である。
【図２】図１に示したスプリッタモジュールを反対側から見たときの外観を示す斜視図である。
【図３】図１及び図２に示した下部筐体、上部筐体及び可動保持部材の分解斜視図である。
【図４】図１に示したアダプタソケットホルダを筐体に対して上方に回動させた状態を示す斜視図である。
【図５】図１に示した可動保持部材を下部筐体に対して前方に回動させた状態を示す斜視図である。
【図６】図１に示した上部筐体を下部筐体に対して左方に回動させた状態を示す斜視図である。
【図７】図１に示した下部筐体及び可動保持部材の内部の配線状態を示す平面図である。
【図８】本発明に係るスプリッタモジュールの他の実施形態の外観を示す斜視図である。
【図９】図８に示した下部筐体及び可動保持部材の分解斜視図である。
【符号の説明】
【００４９】
１…スプリッタモジュール、２…下部筐体（モジュール筐体）、３…上部筐体（モジュール筐体）、１１…出力側アダプタソケット（出力側光ソケット）、１２…アダプタソケットホルダ、１７…出力側アダプタソケット（出力側光ソケット）、１８…アダプタソケットホルダ、１９…入力側アダプタソケット（入力側光ソケット）、２０…可動保持部材、２４…光スプリッタ、２５…入力側光ファイバ心線、２６…出力側光ファイバ心線。
【図１】
2010122527.tif 000003
【図２】
2010122527.tif 000004
【図３】
2010122527.tif 000005
【図４】
2010122527.tif 000006
【図５】
2010122527.tif 000007
【図６】
2010122527.tif 000008
【図７】
2010122527.tif 000009
【図８】
2010122527.tif 000010
【図９】
2010122527.tif 000011